(57)【要約】【目的】本発明は、クリック機能を有する操作装置に関し、クリックバネを装着する為の構成が簡素化され、かつ快適なクリック、回転操作性を実現できる操作装置を備えた電子機器を提供することを目的とする。【構成】本発明にかかる操作装置は、クリックバネ（９１）が、操作部材（７１）と固定部材（８１）とを組み合わせた際の空隙に配置し、かつ固定部材（８１）に結合される。さらには、クリックバネ（９１）に嵌合するクリック溝（７２ａ、７２ｂ，７２ｃ，７２ｄ）を、操作部材（７１）の回転中心を通るほぼ直線上に配置する。【選択図】    図５
2004273126.tif 000002
【特許請求の範囲】
【請求項１】
固定部材と；
該固定部材上に移動可能に設けられた操作部材と；
前記固定部材と前記操作部材との間に設けられ前記操作部材の前記移動に際してクリックを与えるクリック部材と；を含む、操作部材を備えた機器において、前記操作部材の移動方向に沿った空隙部及び突出部を前記固定部材に形成し、
前記クリック部材をクリックバネで形成し、前記操作部材の移動方向と略直交した方向から前記クリックバネが前記空隙部内に挿入できるように前記クリックバネを前記空隙部の形状に沿って形成すると共に、
前記クリックバネは、前記操作部材に形成された操作係合部と係合させることによって所定のクリックを与えるクリック係合部及び前記操作部材の前記移動に伴っての移動を抑止するために前記突起部に嵌合可能な切欠部を形成したことを特徴とする、操作部材を備えた機器。
【請求項２】
請求項１記載の、操作部材を備えた機器において、
前記操作部材は、前記固定部材上に回動可能に軸支され、前記クリックバネは、前記固定部材と前記操作部材との間に設けられ前記操作部材の前記回動に際してクリックを与えることを特徴とする、  操作部材を備えた機器。
【請求項３】
請求項２記載の、操作部材を備えた機器において、
前記空隙部は、前記操作部材の前記回動方向に沿った円弧状に形成され、
前記クリックバネは、前記操作部材の前記軸支方向に略平行な方向から前記空隙部内に挿入できるように前記空隙部の形状に沿って円弧状に形成されることを特徴とする、操作部材を備えた機器。
【請求項４】
請求項３記載の、操作部材を備えた機器において、
前記クリック係合部は、少なくとも二つ形成され、これら二つのクリック係合部は前記回動の回動中心を通る直線上に互いが対向するように位置付けられることを特徴とする操作部材を備えた機器
【発明の詳細な説明】
【０００１】
【発明の属する技術分野】
本発明は、部材を回動させることによって、例えば機能を選択する操作装置、
を備えた電子機器に関する。
【０００２】
【従来の技術】
例えば、電子機器としての一眼レフカメラにおいては、所望の条件で撮影が行えるよう、例えば、シャッタ−速度や絞り値について、回転ダイヤル等の操作装置を用いて設定可能な構成とされることがある。
例えば、特開平１１−１４９１０６号公報には、上記と同様の操作装置をカメラの視度補正装置に適用した例が開示されている。
この視度補正装置は、レンズ枠駆動部材を回転させることによって、連続的な視度の補正が可能となる。そして、レンズ枠駆動部材の回転方向の保持、操作性向上の為に、クリック機構を採用している。
上記公報の図５に開示されるクリック機構部は、クリックバネを挿入する為の略円弧状の切欠部を有するレンズ鏡筒を有している。前述のレンズ枠駆動部材はこのレンズ鏡筒の内側に配置されている。挿入されたクリックバネに設けられた両側２か所の立ち曲げ部は、切欠部の両側の端部に当接する構造となっている。
【０００３】
レンズ枠駆動部材の回転時、挿入されたクリックバネの凸部が、レンズ枠駆動部材に設けられたクリック溝との嵌合を繰り返すことによってクリック機能が達成される。
【０００４】
【特許文献１】
特開平１１−１４９１０６号公報
【０００５】
【発明が解決しようとする課題】
しかしながら、上記の操作装置においては、クリックバネを挿入、実装した後、目隠し板で蓋をしなければならず、部材の構成が煩雑であった。
また、特に小型の操作装置の場合には、クリックバネの装着作業は困難なものとなる。
また、別の課題として、上記従来の装置においては、クリックバネによって、
レンズ枠駆動部材を１方向から押し当てる構成とされていたので、部材の回動に際して、偏芯が発生し、操作者が違和感を覚える可能性があった。
【０００６】
本発明は、構成が簡素化され、操作感の快適な操作装置を備えた電子機器を提供することを目的とする。
【０００７】
【課題を解決するための手段】
この目的を達成するために、第１発明は、固定部材（８１）と；固定部材（８１）上に移動可能に設けられた操作部材（７１）と；固定部材（８１）と操作部材（７１）との間に設けられ操作部材（７１）の移動に際してクリックを与えるクリック部材と；を含む、操作部材を備えた機器において、操作部材（７１）の移動方向に沿った空隙部及び突出部（８２ａ，８２ｂ）を固定部材（８１）に形成し、クリック部材をクリックバネ（９１）で形成し、操作部材（７１）の移動方向と略直交した方向からクリックバネ（９１）が空隙部内に挿入できるようにクリックバネ（９１）を空隙部の形状に沿って形成し、クリックバネ（９１）は、操作部材（７１）に形成された操作係合部（７２ａ，７２ｂ，７２ｃ，７２ｄ）と係合させることによって所定のクリックを与えるクリック係合部（９３ａ，９３ｂ）及び操作部材（７１）の移動に伴っての移動を抑止するために突起部（８２ａ，８２ｂ）に嵌合可能な切欠部（９２ａ，９２ｂ）を形成したことを特徴とする。
第２発明は、請求項１において、操作部材（７１）は、固定部材（８１）上に回動可能に軸支され、クリックバネ（９１）は、固定部材（８１）と操作部材（７１）との間に設けられ操作部材（７１）の回動に際してクリックを与えることを特徴とする。
第３発明は、請求項２において、空隙部は、操作部材（７１）の回動方向に沿った円弧状に形成され、クリックバネ（９１）は、操作部材（７１）の軸支方向に略平行な方向から空隙部内に挿入できるように空隙部の形状に沿って円弧状に形成されることを特徴とする。
第４発明は、請求項３において、クリック係合部は、少なくとも二つ形成され、これら二つのクリック係合部（９３ａ，９３ｂ）は回動の回動中心を通る直線上に互いが対向するように位置付けられることを特徴とする。
【０００８】
【発明の実施の形態】
以下、本発明の実施形態について、図１及至６に示される操作装置を例にとって説明する。
図１は、本発明による操作装置１を上面から見た図である。
【０００９】
操作装置１は、例えば、操作部材７１の突起部７１ａを、図１のａ１、ａ２の位置に回動させることによって、異なる２つの機能を選択することができる。図２は、図１に示される操作装置１のＡ−Ａ断面図、図３は、ビス３３、スイッチ３２、平板３１の締結状態を、図２に示されるＢの方向から見た図である。
【００１０】
上記の機能を選択する為のスイッチ３２は、固定部材８１からの操作部材７１の抜け防止の為に配設される平板３１を介して、ビス３３によって操作部材７１に締結される。
この締結によって、操作部材７１は、固定部材８１に回動可能に固定される。
操作部材７１、平板３１、スイッチ３２、及びビス３３は、突起部７１ａの回動に伴って、一体となって回動する。
ここで、スイッチ３２は、導電性部材で構成されており、後述するとおり、突起形状を有する先端部分が、フレキシブルプリント基板３４上に形成されたパターンに接触することによって、上記の機能の選択がなされる。
図３に示されるスイッチ３２の先端部３２ａ、３２ｂ、３２ｃ、３２ｄは、図２に３２ａとして例示されるように突起状に形成されており、該先端部は、フレキシブルプリント基板３４の表面に形成されたパターンに接触される。
なお、図２においては、該先端部として、３２ａのみについて示しており、３２ｂ、３２ｃ、３２ｄについてはその図示を省略している。
【００１１】
また、図２における筐体３５は、フレキシブルプリント基板３４を実装する筐体を示している。
フレキシブルプリント基板３４の表面には、操作部材７１の突起部７１ａが、ａ１の位置の時に、スイッチ３２の先端部３２ａ、３２ｂが接触する位置、及びスイッチ３２の先端部３２ｃ，３２ｄが接触する位置の各々に、レジストの開口されたパターンが離間して設けられている。
また、フレキシブルプリント基板３４の表面には、操作部材７１ａの突起部７１ａが、ａ２の位置の時に、スイッチ３２の先端部３２ａ、３２ｂが接触する位置、及びスイッチ３２の先端部３２ｃ，３２ｄが接触する位置の各々に、レジストの開口されたパターンが離間して設けられている。
操作部材７１の突起部７１ａが、図１のａ１の位置にある時、スイッチ３２の先端部３２ａ、３２ｂが接触するパターンと、先端部３２ｃ、３２ｄが接触するパターンとは、スイッチ３２自体のもつ導電性によって電気的に短絡される。
また、操作部材７１の突起部７１ａが、図１のａ２の位置にある時、スイッチ３２の先端部３２ａ、３２ｂが接触するパターンと、先端部３２ｃ、３２ｄが接触するパターンとは、スイッチ３２自体のもつ導電性によって電気的に短絡される。
【００１２】
このようにして、上記の離間した４つのパターンのうちの２つのパターンが、突起部７１ａの回転方向の位置によって、選択的に短絡されるので、不図示の電子回路により、固定部材８１上に設けられた操作部材７１の回動操作によって、異なる２つの機能を選択的に実現することができる。
本実施形態において、クリック機能を実現するクリックバネ９１は、図２に示されるとおり、操作部材７１、固定部材８１の間に形成される空隙部に設けられる。この空隙部は、後述する図４に示されるとおり、凸部８２ａ，８２ｂ，１０２ａ，１０２ｂによって構成される境界により、例えば円弧状の４つの空間から成る。
クリックバネ９１は、操作部材７１の回動の中心軸方向から、上記の空隙部に装着される。
以下、クリックバネ９１について、図４、図５、図６を参照して説明する。
図４、図５は、各々、図２におけるＣ−Ｃ断面図、Ｄ−Ｄ断面図である。
また、図６は、図５におけるＪ方向から見たクリックバネ９１を示す図である。図４、図５に示されるとおり、クリックバネ９１は、空隙部の形状に沿って、
その一部が切断された円弧形状を成しており、その外周側を、固定部材８１に設けたクリックバネ支点８３ａ、８３ｂによって支持されている。
【００１３】
さらに、クリックバネ９１は、図６に示されるとおり、その延在方向に対し略直交する方向に、切欠部９２ａ，９２ｂを有し、該切欠部９２ａ，９２ｂは、図５の外周側に示される固定部材８１に設けられた凸部８２ａ，８２ｂと結合されることにより、操作部材７１の回動によるクリックバネ９１の回動が抑止される。
【００１４】
また、本実施形態において、クリックバネ９１は、その両端部が、操作部材７１の回転中心の方向に向かって湾曲した形状の凸部９３ａ，９３ｂを有している。
クリックバネ９１の凸部９３ａ、９３ｂは、操作部在７１の突起部７１ａが、
図１においてａ１の位置にある時は、操作部材７１に設けられた凹溝７２ａ、７２ｃと嵌合した状態となり、突起部７１ａが、ａ２の位置にある時には、凹溝７２ｂ、７２ｄと嵌合した状態となる。
突起部７１ａの回動は、操作部材７１に形成された凸部７３と、固定部材８１に形成された凸部１０２ａ、１０２ｂとが接触することによって制限される。
この操作部材７１に形成された凸部７３、固定部材に形成された凸部１０２ａ、１０２ｂは必ずしも必要ではない。即ち、操作部材７１の回動は制限される必要はなく、自由に回動させる構成としてもよい。
図５に示されるとおり、クリックバネ９１の凸部９３ａ、９３ｂは、操作部材７１の回動の中心を通る直線上に対向して配置される。
このような構成とすることによって、操作部材７１は、その直径方向の両端からクリックバネ９１で押さえられる。即ち、操作部材７１の回動における偏芯を低減することができる。
このように、本実施形態においては、クリックバネ９１の両端以外の箇所（８２ａ，８２ｂ）で、クリックバネ９１の回動を制限する構成としたので、例えば、クリックバネ９１の長さが長いような場合でも、凸部９３ａ、９３ｂと凹溝７２ａ，７２ｃとの回転による摩擦、クリックバネ９１の弾性によって発生する操作部材７１の回転方向のがたつきを低減することができる。
上記のような構成の操作装置１において、操作部材７１の突起部７１ａを、図１に示すａ１の位置からａ２の位置に向けて回動させると、クリックバネ９１の凸部９３ａ、９３ｂは、操作部材７１に形成された凹溝７２ａ、７２ｃとの嵌合状態（クリック状態）から外れ、図５に示される操作部材７１の外周上を摺動し、突起部７１ａ  がａ２の位置となった時点で、操作部材７１に形成された凹溝７２ｂ、７２ｄとの嵌合状態（クリック状態）となる。
【００１５】
以上のように本実施形態によれば、クリックバネ９１を、固定部材８１と、操作部材７１との間の空隙部に配設し、さらにクリックバネ９１の切欠部９２ａ，９２ｂが、固定部材８１に突出して設けられた凸部８２ａ，８２ｂと結合される構成としたので、操作部材７１の回動の際に生じるガタツキを低減することができる。
さらには、固定部材８１の外周部を切り欠くことなくクリックバネ９１の装着が可能となり、操作装置の構成が簡素化されると同時に、部品点数を削減することができる。
また、クリックバネ９１の凸部９３ａ，９３ｂに嵌合するクリック溝７２ａ，７２ｃを、操作部材７１の回転中心を通る直線のほぼ上に配置する構成としたので、操作部材７１の回動の際の偏芯を低減することができる。
なお、上記説明においては、クリックバネ９１の両端が、図４に示されるように、凹溝１０１ａ，１０１ｂ近傍で切断されている例について示したが、クリックバネ９１は、その両端が切断されていない環状の形状としてもよい。
【００１６】
また、本発明は、回転させて機能を選択する操作部材のみならず、１方向に移動させて機能を選択する操作部材に対しても、同様に適用することができる。
本発明による操作装置は、上記で説明したような、機能を選択する為の操作装置を有する全ての電子機器において用いることができる。
【００１７】
【発明の効果】
以上のように、本発明によれば、クリックバネを、操作部材と固定部材を組み合わせた際の空隙部に配置し、かつ固定部材に嵌合する構成としたので、構成の簡素化された操作装置を得ることができる。
さらには、クリック係合部が、操作部材の回転中心を通るほぼ直線上に互いが対向するように配置したので、操作部材の回動時発生する偏芯が低減され、快適な操作性を実現することができる。
【図面の簡単な説明】
【図１】本発明による実施形態を示す上面図である。
【図２】本発明による実施形態を示す断面図である。
【図３】本発明による実施形態を示す底面図である。
【図４】本発明による実施形態を示す断面図である。
【図５】本発明による実施形態を示す断面図である。
【図６】本発明による実施形態を示す断面図である。
【符号の説明】
１・・・操作装置
３１・・・・平板
３２・・・・スイッチ
３２ａ・・・先端部
３２ｂ・・・先端部
３２ｃ・・・先端部
３２ｄ・・・先端部
３３・・・・ビス
３４・・・・フレキシブルプリント基板
３５・・・・筐体
７１・・・・操作部材
７１ａ・・・突起部
７２ａ・・・凹溝
７２ｂ・・・凹溝
７２ｃ・・・凹溝
７２ｄ・・・凹溝
７３・・・・凸部
８１・・・・固定部材
８２ａ・・・凸部
８２ｂ・・・凸部
８３ａ・・・支点
８３ｂ・・・支点
９１・・・・クリックバネ
９２ａ・・・切欠部
９２ｂ・・・切欠部
９３ａ・・・凸部
９３ｂ・・・凸部
１０１ａ・・凹部
１０１ｂ・・凹部
１０２ａ・・凸部
１０２ｂ・・凸部
【図１】
2004273126.tif 000003
【図２】
2004273126.tif 000004
【図３】
2004273126.tif 000005
【図４】
2004273126.tif 000006
【図５】
2004273126.tif 000007
【図６】
2004273126.tif 000008